(57)【要約】【課題】洗濯機において、布量と水温を簡単な構成で検知し、水量と運転時間を決定して経済的な運転をする洗濯機を実現する。【解決手段】給水路３４の外郭に配置された温度検知部３６と、温度検知部３６とモータ２８を制御する制御部３７とを備え、モータ２８の回転数により検知された布量と温度検知部３６で検知した給水温度により、洗濯時の水量および運転時間を決定するようにしたことで、水温が所定の温度より低い場合は運転時間を変更せず、洗浄力を確保するが、水温が高い場合は、所定の洗浄力が確保できる程度に運転時間を短くする。これによって、無駄な電力の消費がなくなり経済的である。【選択図】図２
2014033838.tif 000002
【特許請求の範囲】
【請求項１】
回転自在に配した洗濯兼脱水槽と、
この洗濯兼脱水槽を内包する水槽と、
この洗濯兼脱水槽上方に配置された給水路と、
前記給水路に接続された給水弁と、
前記洗濯兼脱水槽を回転駆動するモータと、
前記給水路の外郭に配置された温度検知部と、
前記温度検知部と前記モータを制御する制御部とを備え、
前記モータの回転数により検知された布量と前記温度検知部で検知した給水温度により、洗濯時の水量および運転時間を決定するようにした洗濯機。
【請求項２】
前記制御部は、給水時間と、給水開始時の前記温度検知部で検知した検知温度と、給水終了時の前記温度検知部の検知温度とにより、前記洗濯兼脱水槽内の水温を類推して洗濯時の運転時間を決定するようにした請求項１記載の洗濯機。
【発明の詳細な説明】
【技術分野】
【０００１】
本発明は衣類を洗濯する洗濯機に関するものである。
【背景技術】
【０００２】
従来、全自動洗濯機ではモータによる布量判定で、洗濯の水量と時間を決めて運転させていた。（例えば、特許文献１参照）。
【０００３】
図３は一般的な全自動洗濯機の布量検知をしめしたもので、外槽１内には洗濯物１０を投入する洗濯槽２を回転自在に配し、また洗濯槽２の内底部には攪拌翼３を回転自在に配している。外槽１の外底部にはモータ５を設け、このモータ５の回転数を減速して攪拌翼３を駆動する減速機４、さらにはモータ５の回転数を検出する回転数検出器６が配してある。
【０００４】
外槽１の排水を行う排水弁７．外槽１内の水位を検出する水位検出器８．外槽１内へ給水する給水弁９を備えている。モータ５、排水弁７給水弁９はそれぞれモータ制御手段１５、排水弁制御手段１７、給水弁制御手段１９により駆動制御される。モータ制御手段１５、排水弁制御手段１７、給水弁制御手段１９は、洗濯シーケンスを実行するマイクロコンピュータから構成される主制御手段１１の信号に基づいて制御される。
【０００５】
主制御手段１１は回転数検出器６の信号を回転数検出制御部１６を介して入力するとともに水位検出器８の信号を水位検出制御部１６を介して入力する。
【先行技術文献】
【特許文献】
【０００６】
【特許文献１】実開平３−６８８７９号公報
【発明の概要】
【発明が解決しようとする課題】
【０００７】
しかしながら、このような従来の洗濯機では、モータを給水前に回転させ、衣類の重量による慣性回転する回転数で布量を判定し、洗濯の水量と時間を決めて運転していたため、水温が高い場合も低い場合も布量によって運転時間を決めており、水温の高い場合は洗浄力が高まるにもかかわらず、無駄に長い時間運転を行い無駄な電力を消費していた。
【０００８】
本発明は、上記従来の課題を解決するもので、布量にくわえて水温により洗濯の運転時間を決定し無駄な電力の消費を防ぐことを目的としている。
【課題を解決するための手段】
【０００９】
本発明は上記目的を達成するために、回転自在に配した洗濯兼脱水槽と、この洗濯兼脱水槽を内包する水槽と、この洗濯兼脱水槽上方に配置された給水路と、前記給水路に接続された給水弁と、前記洗濯兼脱水槽を回転駆動するモータと、前記給水路の外郭に配置された温度検知部と、前記温度検知部と前記モータを制御する制御部とを備え、前記モータの回転数により検知された布量と前記温度検知部で検知した給水温度により、洗濯時の水量および運転時間を決定するようにした洗濯機である。
【００１０】
これにより、布量だけでなく給水される水温により水量および運転時間を決定するので水温の低いときには運転時間を長くすれば洗浄が十分確保でき、水温の高いときは洗浄に十分な時間まで運転時間を短縮すれば無駄に電力を消費することがなくなる。
【発明の効果】
【００１１】
本発明の洗濯機は、十分な洗浄を確保するとともに、水温の高いときは運転時間を短縮し無駄な電力消費を防ぐことができる。
【図面の簡単な説明】
【００１２】
【図１】本発明の実施の形態１の洗濯機の側断面図
【図２】同洗濯機の水温検知と給水時間の関係を示すグラフ
【図３】従来の洗濯機の側断面図
【発明を実施するための形態】
【００１３】
第１の発明は、回転自在に配した洗濯兼脱水槽と、この洗濯兼脱水槽を内包する水槽と、この洗濯兼脱水槽上方に配置された給水路と、前記給水路に接続された給水弁と、前記洗濯兼脱水槽を回転駆動するモータと、前記給水路の外郭に配置された温度検知部と、前記温度検知部と前記モータを制御する制御部とを備え、前記モータの回転数により検知された布量と前記温度検知部で検知した給水温度により、洗濯時の水量および運転時間を決定するようにしたことにより、布量だけでなく給水される水温により水量および運転時間を決定するので、水温の低いときには運転時間を長くすれば洗浄が十分確保でき、水温の高いときには洗浄に十分な時間まで運転時間を短縮すれば無駄に電力を消費することがなくなる
第２の発明は、上記第１の発明において、前記制御部は、給水時間と、給水開始時の前記温度検知部で検知した検知温度と、給水終了時の前記温度検知部の検知温度とにより、前記洗濯兼脱水槽内の水温を類推して洗濯時の運転時間を決定するようにしたことにより、信頼性高く、安価に運転時間を水温により短くすることができて消費電力的にも経済的な全自動洗濯機が実現できる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態１）
図１は本発明の実施の形態１における洗濯機の側断面図である。図１において、洗濯兼脱水槽２１内の中央底部にパルセータ２２が回転自在 に配されている。洗濯兼脱水槽２１を水槽２３が内包しており、この水槽２３の外底部にはモータ２８や防振装置２６を取り付けるための基板２４が固着されている。
【００１６】
外枠２５の上部角隅より、防振装置２６を介して基板２４の外縁部を垂下支持 している。モータ２８を回転させると、その回転力がベルト２９および機構駆動部３０および回転軸２７を介して伝達されるようになっている。洗濯兼脱水槽２１の底部にはフランジ３１が固定されていて洗濯兼脱水槽２１の底部と回転軸２７とを連結支持する構成となっており、モータ２８を回転させると洗濯兼脱水槽２７またパルセータ２２が回転する。
【００１７】
洗濯兼脱水槽２１の上方に外部給水源からの給水を制御する給水弁３３が設けられ、給水弁３３は給水路３４に接続されている。給水弁３３が開放されると給水路３４、注水部３５を経て洗濯兼脱水槽２１に給水される構成となっている。
【００１８】
給水弁３３近傍の給水路３４外郭に設けた温度検知部３６で、給水時に給水弁３３近傍の給水路３４外郭の温度を検知して、給水弁３３から洗濯兼脱水槽２１に注水される給水温度を検知できるようになっている。
【００１９】
制御部３７は、温度検知部３６の温度情報やモータ２８の回転数情報を入力するとともに、モータ２８の駆動や給水弁３３の開閉を制御して洗濯時の洗濯機の運転制御を行なうものである。
【００２０】
以上の構成による動作および作用を説明する。まず、洗濯する衣類を蓋部３８を開閉して洗濯兼脱水槽２１に入れる。使用者が操作部（図示せず）を操作して洗濯動作を開始させると、制御部３７がモータ２８を回転させ、モータ２８をオフしたときの回転数を制御部３７が検知することで布量を判定する。
【００２１】
なお、この検知方法にはモータ２８のオフ時に布の多少による回転数の大小（布が少ないときのほうがオフ時の回転数が高くなる）を、モータ２８の逆起電力をフィルター回路によりパルス化して測定するのが一般的な方法である。
【００２２】
布量を判定した後、制御部３７は給水弁３３を開き、布量に応じた水を洗濯兼脱水槽２１に給水する。布量が多いと判定した場合には少ないと判定した場合に比べて水槽２３の高い水位まで給水する。水位については水圧に応じて水位を検知する水位検知手段（図示せず）によって水位を決定する。
【００２３】
このとき、温度検知部３６は給水路３４の外郭の温度を検知することで水温を検知する。水温が所定の温度より低い場合は運転時間を変更せずに、通常の洗浄時間で洗浄力を確保するが、夏場の日中など水温が高い場合には、所定の洗浄力が確保できる程度に洗濯時の運転時間を短くする。これによって、水温が所定の温度より低い場合は運転時間を変更しないので洗浄力が確保されるとともに、水温が所定の温度よりが高い場合は所定の洗浄力が確保できる程度に運転時間を短くするので、無駄な電力の消費がなくなり経済的である。
【００２４】
さらに制御部３７は給水時間と給水終了時の温度検知部３６の温度により洗濯兼脱水槽２１内の水温を類推することにしてもよく、以下詳細を説明する。図２は温度検知部３６の温度と給水時間の関係をしめしたグラフである。
【００２５】
図２のとおり、温度検知部３６は本来、水槽２３の内部の水温を直接測定すれば精度の高い温度が検知できる。しかしながら、制御部３７は一般的に洗濯機の上部に配置することが多いため、水槽２３内に温度検知部３６を配置するためには、温度検知部３６と制御部３７を接続するための長い信号線を洗濯機上部の制御部３７から水槽２３へ配線せねばならない。また、水槽２３は脱水時などに振動するので、振動により断線するおそれもあり信頼性に欠ける上に配線が長くなりコスト高になる。
【００２６】
そこで、給水部３６の外郭に温度検知部３６を配置している。しかし、直接給水の温度を測定してない上に、温度検知部３６自体も熱容量があるため、温度の測定には遅れが生じてしまう。
【００２７】
図２のとおり、給水を開始すると温度検知部３６により温度を検知する。その温度を開始温度Ｔｓとする。このときの検知温度は、温度検知部３６の周囲や配置されたところの温度である。給水が進むにしたがって、給水路３４外郭の温度は水温に近づいて行き、最終的には実際の水温Ｔｒになる。
【００２８】
しかし、布量が少ないときは給水時間が短く実際の温度になるまでの長い給水時間がとれない。例えば、給水時間Ｔ１のとき、検知温度はＴａとなり実際の温度との差は△１となる。また、さらに給水した場合の給水時間Ｔ２の検知温度はＴｂとなり差は△２となる。給水時間が比較的長くＴ３になると検知温度はＴｃとなり差は△３と少なくなる。
【００２９】
この特性をいかして、例えば開始温度がＴｓで給水時間Ｔ１で検知温度Ｔａの場合、実際の水温はＴｒなので制御部３７に記憶させていた差△１を足して補正し、実際の温度を類推するようにしている。給水時間がＴ２のときも同様で差△２を検知温度Ｔｂに足して補正を行なうようにしている。他の開始温度と実際の水温についても補正値を設定し補正可能にしている。
【００３０】
これにより、実際の水槽２３内の温度ではなく給水路３４外郭の温度を検知することにより、温度検知部３６と制御部３７を接続するための長い信号線が不要となるため配線も短くなり、信頼性が高く安価に運転時間を水温により短くすることができて消費電力も経済的な洗濯機が実現できる。
【産業上の利用可能性】
【００３１】
以上のように、本発明にかかる洗濯機は、布量と洗濯兼脱水槽の温度を簡単な構成で測定可能となるので、水量および洗濯時間を最適に設定でき経済的に運転する全自動洗濯機等として有用である。
【符号の説明】
【００３２】
２１  洗濯兼脱水槽
２２  パルセータ
２３  水槽
２４  基板
２５  外枠
２６  防振装置
２７  回転軸
２８  モータ
２９  ベルト
３３  給水弁
３６  温度検知部
３７  制御部
【図１】
2014033838.tif 000003
【図２】
2014033838.tif 000004
【図３】
2014033838.tif 000005